(57)【要約】【課題】  本発明は便座に座った際に、便座の汚れが衣服や身体につくのを防ぐ、衛生的かつ快適なトイレシートを提供するものである。【解決手段】  トイレシート１００を便座に敷く。このとき、トイレシート１００の波部４が、便座Ｂの前方付近に来るように、かつ下層部７の表面９が、便座Ｂ全体を覆うように、便座シート５０を敷く。トイレシート５０が汚れてきたら、一番上になっている便座シート５０を剥して、下層の便座シート５０を表に出す。これにより、新しい綺麗な状態で使用を継続できる。このリフレッシュは便座シート５０の積層枚数だけ行うことができる。そして、剥した便座シート５０は、トイレに流して捨てることもできる。これにより、トイレの使用開始から使用終了まで、衣服や身体に汚れが付くことなく、衛生的かつ快適に、トイレシート１００を使用することができる。【選択図】  図１
2016077733.tif 000002
【特許請求の範囲】
【請求項１】
便座の上に敷く便座シートであって、前記便座シートの本体の中央部は略楕円形状の孔が設けられ、孔の外周及び内周の縁部に波部を有すると共に、当該本体が左右のシート片からなる分割構造であり且つ当該シート片の前部分には互いに重なる前重なり部を有することを特徴とするトイレシート。
【請求項２】
更に、前記シート片の後部分には互いに重なる後重なり部を有することを特徴とする請求項１に記載のトイレシート。
【発明の詳細な説明】
【技術分野】
【０００１】
本発明は、洋式トイレの便座や床に敷く、トイレシートに関する発明である。
【背景技術】
【０００２】
現在、デパートやビル、公共施設において洋式トイレが多く設置されているが、そのほとんどが便座カバーがついていないものである。よって、これらの洋式トイレを使用する際に、衛生上の観点から、種々の便座シートが発明されている。
【０００３】
特許文献１にかかる発明は、シートの水解性を維持するため、シートの厚さを薄くしており、また、便座に敷いたときの粘着力を高めるため、シートの裏面同士を重ね合わせてもシートが破れないことを特徴とする便座シートである。特許文献２は、シートの裏側の複数個所に粘着剤を設けることによって、シートごと巻き取ることができることを可能にした携帯用の便座シートである。    
【先行技術文献】
【特許文献】
【０００４】
【特許文献１】特開２００５−４０３５９号公報
【特許文献２】特開２０１０−１９４２８４号公報
【発明の概要】
【発明が解決しようとする課題】
【０００５】
しかしながら、上記特許文献１及び２に係る発明は、便座シートの汚れがひどくなった場合、便座シート自体を交換しなければならず、便座シートが便座に対して粘着しているため、剥すのが面倒であるという問題点があった。本発明は、係る問題点を解決するためになされたものである。
【課題を解決するための手段】
【０００６】
上記のような問題点を解決するため、本発明に係るトイレシートは、便座の上に敷く便座シートであって、前記便座シートの本体の中央部は略楕円形状の孔が設けられ、孔の外周及び内周の縁部に波部を有すると共に、当該本体が左右のシート片からなる分割構造であり且つ当該シート片の前部分には互いに重なる前重なり部を有することを特徴とする。
【０００７】
また、前記シート片の後部分には互いに重なる後重なり部を設けるのが好ましい。
【図面の簡単な説明】
【０００８】
【図１】この発明の実施の形態にかかる便座シートの平面図である。
【図２】図１の便座シートの断面図である。
【図３】トイレシートを構成する便座シートの断面図である。
【図４】図１の便座シートを便座の上に敷いたときの説明図である。
【発明を実施するための形態】
【０００９】
以下これらの発明につき、図面を参照しつつ詳細に実施の形態を説明する。なおこの実施の形態によりこれらの発明が限定されるものではない。
【００１０】
このトイレシート１００は、便座シート５０を複数積層した構造であり（図２では二層の例を示している）、各便座シート５０は、本体１の全体が略楕円形となっており、便座前後方向又は着座状態の前後方向の前部分Ｆ及び後部分Ｒで左右分離した構造となる。便座シート５０の左右のシート片１ａ，１ｂが組となって前記本体１を形成する。分割構造とすることで様々な寸法の便座に対応できるようになる。また、この便座シート５０の中央部は、略楕円形状の孔３が開いている。孔３は、長いもの丸いもの等の様々な形状を採用できる。また、寸法についても数種類のものを設定することもできる。
【００１１】
また、便座シート５０を便座に敷き、便座に座った後、皺や折れ線ができるのを防ぐため、便座シート５０の縁部に、波部４を有する構造となっている。尚、本便座シート５０は、便座全体を覆うことができるように、さらに、使用中に発生する汚れが衣服や身体に付かないように、便座の全体形状よりもやや大きめの形状となる。また、本便座シート５０の素材は、使用後トイレに流して捨てることができるよう水溶性のものでもよい。
【００１２】
便座シート５０と便座シート５０との間には、低粘着性の水溶性の付着剤が介挿されている。特に、肌に触れる面とは反対面（後述する下層部７）に付着層２を設け、これに接着するもう一方の便座シート５０の肌に触れる面（後述する上層部５）には、当該付着剤が着かないようにする。これにより、便座シート５０と便座シート５０とが剥離可能となる。
【００１３】
図３に示すように、この便座シート５０は、好ましくは、上層部５、中層部６、下層部７の３層構造とする。上層部５は、便座シートに座った際に心地よく、かつ動いた時に破けないよう、繊維状の素材からなる。中層部６は便座についていた汚れや、便座を使用している際に発生する汚れなどを吸収し、上層部５へ移らせることの無いよう、高吸湿性のある素材からなる。尚、中層部６は汚れの吸収を強化するため、同様の素材を２層又は３層構造のものにしてもよい。下層部７は上層部５と同様の素材となるが、下層部７の表面９は便座に接する部分であるため、上層部５の表面８と色を変えるなどして見分けがつくようにすることが望ましい。また下層部７の表面９には便座シート５０を便座に付着でき固定できるよう、水溶性の付着剤を塗布させてもよい。
【００１４】
また、このトイレシート１００は、上記のように左右分離構造であり、且つ、図４に示すように、各シート片１ａ，１ｂは前部分Ｆ及び後ろ部分Ｒで互いに重なる部分を有する。換言すれば、前重なり部２０は、標準的な便座Ｂにシート片１ａ，１ｂを載せたときに当該シート片１ａ，１ｂが重なる部分を生じさせるような面積や形状から構成されるものであり、使用する便座Ｂごとに前重なり部２０の面積や形状が多少であるが異なるものとなる。これは、後重なり部２１においても同様に、標準的な便座Ｂにシート片１ａ，１ｂを載せたときに当該シート片１ａ，１ｂが重なる部分であり、使用する便座Ｂごとに後重なり部２１の面積や形状が多少であるが異なる。
【００１５】
同図の例では、前重なり部２０では、シート片１ａの上にシート片１ｂを重ねているが、逆でも良い。後重なり部２１でも同様である。前重なり部２０の面積は、各シート片１ａ，１ｂの形状と寸法により適宜設定できる。好ましくは、前重なり部２０は、図中横方向で５ｃｍ以上１５ｃｍ以下重なるようにする。後重なり部２１も同様である。この程度の重なりが確保できれば殆どの便座Ｂの大きさに対応可能である。また、前重なり部２０及び後重なり部２１は、図中横方向で便座Ｂに対して適切にフィットさせることから、図中縦方向の幅は略一定とする。これにより、図中横方向でシート片１ａ，１ｂを相対移動させても前重なり部２０及び後重なり部２１が大きくずれることなく、調整が可能となる。
【００１６】
前重なり部２０及び後重なり部２１を有することで、便座Ｂの大きさが横方向に大きい場合に柔軟に対応可能となる。即ち、単なる分割構造にすると横幅の大きい便座に載せた場合に前部分及び後部分に切れ目が生じてしまうが、このトイレシート１００によれば、前重なり部２０及び後重なり部２１を備えているので、シート片１ａ，１ｂの横方向の間隔を広げても、十分なる重なり部分の面積を確保しておくことで、切れ目が生じるのを防止できる。また、前重なり部２０及び後重なり部２１が必ず生じるので、汚れの吸収力を高める機能も維持できる。
【００１７】
更に好ましくは、前重なり部２０及び後重なり部２１において吸収力を高めるため、付着剤を部分的に設けて上下方向で液体がより浸透しやすくするようにする。例えば、付着剤を散点状に設けて付着剤がない部分で透過性を高める。これにより、前重なり部２０及び後重なり部２１を重ねて使用する際により吸収力が高くなる。
【００１８】
以下本発明の使用方法を説明する。まず、図４に示すように、トイレシート１００を便座Ｂに敷く。このとき、各シート片１ａ，１ｂとして左右分割されていることから、便座Ｂの左右にそれぞれ位置を合わせながら敷くものとする。その後、トイレシート１００の波部４が、便座Ｂの前方付近に来るように、かつ下層部７の表面９が、便座Ｂ全体を覆うように、便座シート５０を敷く。更に、前重なり部２０及び後重なり部２１において、左右のシート片１ａ，１ｂを重ねて敷くものとする。
【００１９】
便座Ｂに座り、トイレシート１００の位置を調整する必要がある場合は、トイレシート１００を手で持ち調整する。なお、便座Ｂの前方の内側や裏面に汚れがある場合は、波部４を便座の裏側に向かって、折り畳んで使用する。波部４を便座Ｂの裏側に折り込むことも可能であり、波部４を設けることで様々な形状の便座Ｂに対応できる。また、下層部７に付着剤を設けた場合は、位置を合わせて便座にトイレシート１００を付着固定する。
【００２０】
前重なり部２０を形成する部分は便座Ｂの前部分であって、尿による汚れが付着しやすい場所である。この部分に前重なり部２０を形成することで高い吸収力が得られる。また、後重なり部２１を形成する部分は便座Ｂの後部分であって、大便による汚れが付着しやすい場所である。この部分に後重なり部２１を形成することで高い吸収力が得られる。このように、前重なり部２０及び後重なり部２１は汚れが集中しやすい場所に形成されるので、トイレシート１００の汚れ吸収力を極めて高くできる。
【００２１】
また、図示しないが前部分Ｆが割れている形状の便座にも適用できる。即ち、前重なり部２０を有する場合、便座の前部分Ｆが割れていても、この割れた部分に橋を渡すようにシート片１ａ，１ｂを重ねることが可能となる。これにより、便座が割れた部分の便器上面が汚れるのを防止できる。
【００２２】
次に、便座シート５０が汚れてきたら、一番上になっている便座シート５０を剥して、下層の便座シート５０を表に出す。これにより、新しい綺麗な状態で使用を継続できる。このリフレッシュは便座シート５０の積層枚数だけ行うことができる。そして、剥した便座シート５０は、トイレに流して捨てることもできる。
【００２３】
以上により、トイレの使用開始から使用終了まで、衣服や身体に汚れが付くことなく、衛生的かつ快適に、トイレシート１００を使用することができる。また波部４が便座Ｂの前方付近をすっぽりと覆うことから、どんな便座Ｂでも対応することができる。さらに、便座Ｂの素材が水溶性のものである場合、使用後はトイレに流すこともできるため、ゴミの発生を抑え、エコ対策にもなる。
【符号の説明】
【００２４】
１００  トイレシート
５０  便座シート
２０  前重なり部
２１  後重なり部
１  本体
２  付着層
３  孔
４  波部
５  上層部
６  中層部
７  下層部
８  上層部の表面
９  下層部の表面
【図１】
2016077733.tif 000003
【図２】
2016077733.tif 000004
【図３】
2016077733.tif 000005
【図４】
2016077733.tif 000006